(57)【要約】【課題】使用に際して危険を伴うことが無く、また部品点数も少なく、更に不測の破損等にも対応可能な額縁を提供すること。  【解決手段】連結材６によりフレーム材２を略四角形状に組み付けて成り、フレーム材２は、外壁部２０１と、外壁部２０１の上端及び下端にそれぞれ連設した前壁部２０２及び後壁部２０３と、後壁部２０３の先端に連設したストッパー部２０４を備えるとともに、外壁部２０１の長手方向に沿って、ガイド部５０１とガイド部５０１に連設した嵌合部５０２を備えた一対の係止孔５が両端近傍に形成された中仕切り２０５を外壁部２０１の内周側に連設することで挿入空間４と載置空間３が形成され、連結材６は、互いに直交する一対の押圧部６０１と押圧部６０１の外周側にそれぞれ連設した挿入部６０２と押圧部６０１の内周側に連設されたレバー部６０４とレバー部６０４に備えた係止突起７を備えた。【選択図】図１
2005087502.tif 000002
【特許請求の範囲】
【請求項１】
長尺状の複数本のフレーム材（２）と、
該フレーム材（２）を、その端部において連結することによって略四角形状に組み付ける連結材（６）と、を備え、
前記フレーム材（２）は、
長板状の外壁部（２０１）と、
該外壁部（２０１）の上端に内周側に向けて連設した前壁部（２０２）と、
前記外壁部（２）の下端に内周側に向けて連設した後壁部（２０３）と、
該後壁部（２０３）の先端に前記前壁部（２０１）側に向けて前記外壁部（２０１）と略並行方向に連設したストッパー部（２０４）と、を備えるとともに、
前記外壁部（２０１）の長手方向に沿って、ガイド部（５０１）と該ガイド部（５０１）に連設した嵌合部（５０２）とを備えた一対の係止孔（５）が両端部近傍にそれぞれ形成された中仕切り（２０５）を、前記外壁部（２０１）の高さ方向任意の個所に内周方向に向けて連設することにより、挿入空間（４）と載置空間（３）とを形成し、
前記連結材（６）は、
互いに直交する一対の押圧部（６０１）と、
該押圧部（６０１）の外周側にそれぞれ連設した、前記挿入空間（４）内に挿抜可能に挿入された挿入部（６０２）と、
前記押圧部（６０１）の内周側に連設された、互いに近接する方向へ変形可能な一対のレバー部（６０４）と、
該レバー部（６０４）に備えた、前記係止孔（５）に係止される係止突起（７）と、を備えたことを特徴とする額縁。
【請求項２】
前記連結材（６）を樹脂により形成したことを特徴とする請求項１に記載の額縁。
【発明の詳細な説明】
【技術分野】
【０００１】
本発明は、額縁に係り、より詳しくは、煩雑な手間を経ることなく、容易に絵画、写真等を挿装可能な額縁に関する。
【背景技術】
【０００２】
一般的に、額縁は、四角形状に組み付けたフレームの内周に透明体及び裏板を係止するとともに、前記裏板を、フレームの裏面に回動自在に備えたいわゆる「トンボ」と呼ばれる係止部材によって固定する構成が採用されている。
【０００３】
そのために、透明体と裏板の間に絵画、賞状、写真等を挟み込んだ状態で裏板を固定する作業が煩雑であるという問題点が指摘されている。
【０００４】
そのため、このような問題点を解決するために、過去において、特公平７−８７８１３号公報、特許第２９４８７６５号公報に示されるような、正面側から絵画、賞状、写真等を挿入可能とした、いわゆるフロントオープン式のものが提案されている。
【０００５】
即ち、特公平７−８７８１３号公報に示されるフロントオープン式の額縁（以下「従来の額縁」という。）では、額縁のコーナーを構成する連結部材を用いて、長尺の枠材を回動自在に略四角形状に枠組みして構成されている。
【０００６】
また、特公平７−８７８１３号では、枠材の一方のみを回動自在にし、他方を回動不能にしており、枠材の端部を直角に切断するとともに、回動する枠材の両端にキャップを取り付けて蓋としている。
【特許文献１】特公平７−８７８１３号公報（図１、図２、図３、図８、図１８）
【特許文献２】特許第２９４８７６５号公報（図１、図２、図３、図８）
【発明の開示】
【発明が解決しようとする課題】
【０００７】
しかしながら、前記従来の額縁では、枠材を閉じた際に枠材の端部でコーナーを構成しているため、枠部材の端部を鋭角にせざるを得ず、そのために、枠材を開いた際に、鋭角にした枠材の角が露出してしまい危険であるという問題点が考えられる。
【０００８】
また、枠部材の端部を直角に切断した形態では、このような危険を防止することはできるが、この形態では、枠材の両端にキャップを取り付けなければならないために、部品点数が多くなってしまうという問題点が考えられる。
【０００９】
更に、従来の額縁では、中仕切りに回動係止部を形成するとともに、連結部材の上部及び下部に、前記回動係止部に係止される回動停止部が形成される形態としているため、何らかの原因により回動係止部が破損した場合には、枠材を開閉した際にその位置を維持することが不可能となってしまう。
【００１０】
そこで、本発明は、使用に際して危険を伴うことが無く、また部品点数も少なく、更に不測の破損等にも対応可能な額縁を提供することを課題としている。
【課題を解決するための手段】
【００１１】
本発明の額縁は、長尺状の複数本のフレーム材と、該フレーム材をその端部において連結することによって略四角形状に組み付ける連結材と、を備え、
前記フレーム材は、長板状の外壁部と、該外壁部の上端に内周側に向けて連設した前壁部と、前記外壁部の下端に内周側に向けて連設した後壁部と、該後壁部の先端に前記前壁部側に向けて前記外壁部と略並行方向に連設したストッパー部と、を備えるとともに、前記外壁部の長手方向に沿って、ガイド部と該ガイド部に連設した嵌合部とを備えた一対の係止孔が両端部近傍にそれぞれ形成された中仕切りを、前記外壁部の高さ方向任意の個所に内周方向に向けて連設することにより、挿入空間と載置空間とを形成し、
前記連結材は、互いに直交する一対の押圧部と、該押圧部の外周側に連設した、前記挿入空間内に挿抜可能に挿入された挿入部と、前記押圧部の内周側に連設された、互いに近接する方向へ変形可能なレバー部と、該レバー部に備えた、前記係止孔に係止される係止突起と、を備えたことを特徴としている。
【発明の効果】
【００１２】
本発明の額縁では、それぞれに挿入空間を有する複数本のフレーム材を連結材によって略四角形状に組み付けて構成しているとともに、その連結は、前記挿入空間内に、連結材に備えた挿入部を挿抜自在に挿入することによって行っている。そのために、連結材を、その挿入部をフレーム材の挿入空間より抜き出す方向に移動することで、各フレーム材の端部を互いに離すことができ、これにより額縁の内周の径を広げ、透明体、裏板等をフレーム材から取り外すことが可能となる。
【００１３】
従って、本発明の額縁によれば、面倒な手間を経ること無く、また、危険を伴うこと無く、絵画、賞状、写真等を挿装することが可能となる。
【発明を実施するための最良の形態】
【００１４】
本発明の額縁では、長尺状の複数本のフレーム材を備えており、このフレーム材を、その端部において連結材によって連結することによって略四角形状に組み付けている。
【００１５】
そして、前記フレーム材は、長尺の平板状の外壁部と、この外壁部の上端に内周側に向けて連設した前壁部と、前記外壁部の下端に内周側に向けて連設した後壁部と、この後壁部の先端に、前記前壁部側に向けて、前記外壁部と略並行方向に連設したストッパー部とを備えており、更に、前記外壁部の長手方向に沿って、前記外壁部の高さ方向任意の個所に内周方向に向けて中仕切りを連設して、これによって、フレームには挿入空間と載置空間とを形成している。
【００１６】
更に、前記中仕切りには、その両端部近傍において、ガイド部と、このガイド部に連設した嵌合部とを備えた一対の係止孔を形成している。
【００１７】
次に、連結材は、互いに直交する一対の押圧部と、この押圧部のそれぞれの外周側に連設した、前記挿入空間内に挿抜可能に挿入された挿入部と、前記押圧部の内周側に連設された、互いに近接する方向へ変形可能な一対のレバー部と、このレバー部に備えた、前記係止孔に係止される係止突起と、を備えて構成されている。
【００１８】
ここで、前記連結材を樹脂により形成するとよく、これにより、前記レバー部の変形を容易にすることが可能である。
【実施例１】
【００１９】
本発明の額縁の実施例について図面を参照して説明すると、図１は本実施例の額縁を裏面から示した背面図であり、図において１が本実施例の額縁である。
【００２０】
そして、図において２はフレーム材であり、即ち、本実施例の額縁１では、長めのフレーム材２本と短めのフレーム材２本からなる４本の長尺のフレーム材２を長方形状に組み付けてフレーム２が構成されており、前記フレーム材は金属製としている。
【００２１】
ここで、図２は、前記フレーム材２を説明するための斜視図であり、図２においては、フレーム材２の任意の１本を裏面から見た状態を示しており、その他のフレーム材３本も同様の構造となっている。
【００２２】
そして、本実施例において前記フレーム材２は、長尺の平板状の外壁部２０１を有しており、この外壁部２０１が額縁の外壁を構成している。
【００２３】
また、この外壁部２０１の長手方向に沿った上端部（図における下端部）には、外壁部２０１と同一長さとした前壁部２０２が、額縁１の内周側に向けて連設されており、この前壁部２０２が、額縁１における正面側の周縁部全域を形成することとしている。
【００２４】
次に、前記外壁部２０１の長手方向に沿った下端部（図における上端部）には、外壁部２０１と同一長さとした後壁部２０３が、額縁１の内周側に向けて連設されており、更に、この後壁部２０３における額縁１の内周側先端部には、前記前壁部２０２側に向けて、前記外壁部２０１と略並行にして、ストッパー２０４が連設されている。
【００２５】
次に、前記外壁部２０１の高さ方向の略中央部分には、外壁部２０１の長手方向に沿って、額縁１の内周側に向けて中仕切り２０５が連設されており、この中仕切り２０５によって、前記外壁部２０１、前壁部２０２及び後壁部２０３により形成された空間は、透明体及び裏板の周縁部が載置される載置空間３と、後述する連結材６の挿入部６０２が挿入される挿入空間４とに仕切られている。
【００２６】
そして、前記中仕切り２０５は、額縁１の内周側に向けて、段差部２０７を介して延長部２０６が連設されており、この延長部２０６の両端部近傍にはそれぞれ、係止孔５が形成されている。
【００２７】
ここで前記係止孔５について説明すると、本実施例において前記係止孔２０５は、ガイド部５０１と、このガイド部５０１における延長部２０６の中央部側端部において額縁１の外周側に向けて連設した嵌合部５０１とを有しており、これにより、係止孔５は略Ｌ字形状としている。
【００２８】
次に、図３及び図４は、前記フレーム材２を略四角形状に組み付けるために用いる連結材６を示す斜視図であり、図３及び図４に示す連結材６は額縁の裏面側から見た状態を示している。そして、本実施例におけるこの連結材６は、全体を樹脂により成型するとともに、互いに直交する一対の押圧部６０１を有し、この押圧部６０１が前記フレーム材２のコーナー部内周側に、より具体的には、前記ストッパー２０４における額縁１の内周側に当接可能としている。
【００２９】
また、この押圧部６０１の外周側にはそれぞれ、連結部６０３を介して、前記挿入空間４に挿入可能な挿入部６０２が連設されており、この挿入部６０２のそれぞれを前記フレーム材２の挿入空間４に挿入することにより、前記フレーム２を、端部において連結して略四角形状に組み付けることを可能としている。
【００３０】
更に、前記押圧部６０１における額縁１の内周側には、互いに近接する方向へ変形可能なレバー部６０４が備えられている。具体的には、本実施例においては、前記一対の押圧部６０１が連結される近傍における内周側に平面形状を略三角形状とした固定部６０５を連設しており、更に、この固定部６０５の底辺部６０６の両端部にレバー部６０４を突設して、これにより、レバー部６０４を互いに近接する方向へ変形可能としている。
【００３１】
次に、このレバー部６０４には、前記係止孔５内に係止可能な係止突起７が突設されている。そしてこの係止突起７は、前記レバー部６０４に連設した基端部７０２と、この基端部７０２の先端部において前記押圧部６０１側に向けて突設した先端部７０１とを有し、この先端部７０１を、前記係止孔５の縁に係止可能としており、更に、前記基端部７０２を、反先端部側に向けて変形可能としている。そして、本実施例においては、前記挿入部６０２を挿入空間４内に完全に挿入した際に、係止突起７の全体が前記嵌合部５０２内に嵌合可能なようにして、係止突起７を形成している。
【００３２】
次に、このように構成される本実施例の額縁１の作用について説明すると、図５は通常の状態における額縁１のコーナー部を裏面から示した斜視図であり、この状態では、挿入部６０２が挿入空間４内に完全に挿入されるとともに、係止突起７が嵌合部５０２内に嵌合しており、挿入部６０２は、ストッパー２０４及び段差部２０７によって、額縁１の内周方向への移動が制限されている。そして、載置空間３内には透明体、裏板の周縁部が挿入され、これにより、明体及び裏板が額縁１の内周側に固定されている。
【００３３】
そして、この状態で、レバー部６０４を互いに近接する方向に変形させつつ、連結材６の押圧部６０１でフレーム材２のコーナー部分を押していくと、係止突起７が嵌合部５０２内から外れるとともにガイド部５０１内を額縁１のコーナー側に移動していき、これによって、図６に示すように、連結材６が、額縁１のコーナー部を形成しているフレーム材２の端部を互いに引き離していく。
【００３４】
そのため、４個の連結材のそれぞれについて同様の行為を行うことにより、４本のフレーム材はすべてその両端部が他のフレーム材２から離れた状態になり、これにより、額縁１の内周の径が広がり、透明体、裏板等を額縁１の内周から取り外すことが可能となる。
【００３５】
従って、本実施例の額縁１では、このように、連結材６のレバー部６０４を互いに近接する方向に変形させながら額縁１のコーナー部側に押していくことのみで、透明体、裏板を取り外すとともに絵画、賞状、写真等を挟み込むことができ、これを装着する場合には、逆に、絵画、賞状、写真等を挟み込んだ透明体及び裏板を額縁１の内周に配置した状態で連結材６を前記と逆方向に移動させつつ、係止突起７を嵌合部５０２内に嵌合させるのみでよい。
【００３６】
そしてそのとき、本実施例においては、フレーム材２のコーナー部の鋭角な部分が完全に露出することが無いために、安全に絵画、賞状、写真等の装着を行うことが可能である。
【産業上の利用可能性】
【００３７】
本発明の額縁では、連結材を操作することのみで、透明体、裏板の取り外しを行うことができるために絵画、賞状、写真等の挿装が容易であるとともに、その挿装の際の安全性を確保することもできるために、略四角形状に組み付けられたフレームの内周には、絵画、賞状、絵画のみならず、様々なものを係止することが可能となる。
【図面の簡単な説明】
【００３８】
【図１】本発明の額縁の実施例を裏面から示した図である。
【図２】本発明の額縁の実施例に用いるフレーム材を説明するための図である。
【図３】本発明の額縁の実施例に用いる連結材を説明するための図である。
【図４】本発明の額縁の実施例に用いる連結材を説明するための図である。
【図５】本発明の額縁の実施例の作用を説明するための図である。
【図６】本発明の額縁の実施例の作用を説明するための図である。
【符号の説明】
【００３９】
１    額縁
２    フレーム材
２０１    外壁部
２０２    前壁部
２０３    後壁部
２０４    ストッパー
２０５    中仕切り
２０６    延長部
２０７    段差部
３    載置空間
４    挿入空間
５    係止孔
５０１    ガイド部
５０２    嵌合部
６    連結材
６０１    押圧部
６０２    挿入部
６０３    連結部
６０４    レバー部
６０５    固定部
６０６    固定部における底辺部
７  係止突起
７０１    係止突起の基端部
７０２    係止突起の先端部
【図１】
2005087502.tif 000003
【図２】
2005087502.tif 000004
【図３】
2005087502.tif 000005
【図４】
2005087502.tif 000006
【図５】
2005087502.tif 000007
【図６】
2005087502.tif 000008